【事件の表示】
　本件特許第３６００１４９号「テレビジョン番組リストのユーザーインタフェース」に係る上記当事者間の特許無効審判事件について特許庁がした「特許第３６００１４９号の請求項１６および請求項２６に係る発明についての特許を無効とする。」旨の審決（平成２１年６月１０日付け）を不服として、被請求人が同審決の取り消しを求めて知的財産高等裁判所に提起した訴えについて、同裁判所において、「特許庁が無効２００８−８０００６５号事件について平成２１年６月１０日にした審決を取り消す。」旨の決定（平成２１年（行ケ）第１０３１７号、平成２１年１１月２０日）があったので、さらに審理をした結果、次のとおり改めて審決する。
【結　論】
　訂正を認める。
　本件審判の請求を却下する。
　審判費用は、被請求人の負担とする。
【理　由】
【第１】経緯等
　
［１］本件特許
　本件特許第３６００１４９号は、平成３年９月１０日（パリ条約による優先権主張：平成２年９月１０日、米国）を国際出願日とする出願である特願平３−５１６６９１号（以下、「原出願」ともいう。）の一部を、拒絶査定不服審判請求の日から明細書について補正ができる期間内である平成１２年１０月２０日に新たな特許出願（特願２０００−３２１３９１号）として出願され、
　平成１５年９月２４日の手続補正を経て、平成１６年９月２４日に設定登録されたものであり、登録時の請求項の数は３４である。
　
　平成１２年１０月２０日　本件（分割）出願
　　　　（特願２０００−３２１３９１号、
　　　　　原出願：特願平３−５１６６９１号（平成３年９月１０日出願、
　　　　　優先権主張　平成２年９月１０日）
　平成１５年　９月２４日手続補正　　　　　　　　　　　
　平成１６年　９月２４日　設定登録（請求項の数３４）　　 
　
［２］本件無効審判の手続きの経緯
　
　〈第１次審決まで〉
　本件無効審判は、本件特許第３６００１４９号に対し、請求人より、「本件特許請求の範囲の請求項１６および請求項２６に係る特許は、特許法第１２３条第１項の規定に該当し無効とすべきものである。審判費用は被請求人の負担とする。」ことを趣旨としてなされた無効審判の請求であり、平成２１年６月１０日、「特許第３６００１４９号の請求項１６および請求項２６に係る発明についての特許を無効とする。」との審決（以下、「第１次審決」という）がなされた。
　この間の手続の概要は以下のとおりである。
　
　平成２０年　４月１４日　本件無効審判請求（請求人） 
　平成２０年　８月　５日　答弁書（被請求人）提出　　　　 
　平成２０年１１月２１日　口頭審理陳述要領書（請求人）　 
　平成２０年１１月２１日　口頭審理陳述要領書（被請求人） 
　平成２０年１１月２１日　口頭審理　　　　　　　　　　　 
　平成２１年　６月１０日　第１次審決
　
　〈審決取り消し訴訟〉
　被請求人は、第１次審決の取消しを求めて、審決取り消し訴訟（知的財産高等裁判所平成２１年行（ケ）第１０３１７号事件）を提起し、その後、被請求人は、本件特許につき訂正審判（訂正２００９−３９０１３０号）を請求したところ、知的財産高等裁判所において、平成２１年１１月２０日、「特許庁が無効２００８−８０００６５号事件について平成２１年６月１０日にした審決を取り消す。」旨の決定（平成２１年（行ケ）第１０３１７号）がなされた。
　
　平成２１年１０月　９日　知的財産高等裁判所出訴（被請求人）
　　　　　　　　　　　　　（平成２１年行（ケ）第１０３１７号）。
　平成２１年１０月２６日　訂正審判請求（被請求人）、
　　　　　　　　　　　　　（訂正２００９−３９０１３０号）
　平成２１年１１月２０日　知的財産高等裁判所決定（審決を取り消す。）
　　　　　　　　　　　　　（平成２１年行（ケ）第１０３１７号）
　
　〈本件無効審判手続の再開〉
　上記決定が効力を生じたことにより本件無効審判が再開され、平成２１年１２月２８日、訂正請求（被請求人が請求した上記訂正審判請求書に添付された訂正明細書を援用するもの）がなされた。
　
　以下、この訂正請求を「本件訂正請求」といい、これによる訂正を「本件訂正」または「訂正２」といい（後記する形式的に確定した訂正の後のものであるから）、また、上記訂正明細書を「訂正明細書２」ということとし、
　後記する、この訂正請求前に形式的に確定した訂正を「訂正１」ということとする。　
　                        
　平成２１年１２月２８日　訂正請求（被請求人）（特許法第１３４条の３
　　　　　　　　　　　　　　第５項に基づく）
　平成２１年１２月２８日　訂正審判（訂正２００９−３９０１３０号）
　　　　　　　　　　　　　　の取り下げ（特許法第１３４条の３第４項
　　　　　　　　　　　　　　に基づく）
　
［３］同時係属した、本件特許に対する別の無効審判手続中の訂正（訂正１）
　本件特許に対し、平成２０年３月２４日、本件請求人とは別の請求人により、「本件特許請求の範囲の請求項１〜３４に記載された各発明に係る特許を無効とする。」ことを趣旨とする別の無効審判（無効２００８−８０００５２号）が請求され、
　当該無効審判の手続において、平成２０年７月２２日、被請求人より次の訂正事項を内容とする訂正請求がなされた。
　
［訂正事項］　　　　　　　　　
　登録時の請求項２１，２２，２８，３３，３４を削除する。
　上記削除に伴い、請求項番号を１から順の番号に整合するため、登録時の請求項２３〜２７、２９〜３２の項番号を、それぞれ、２１〜２５、２６〜２９に繰り上げる。
　
　そして、平成２１年６月５日、「訂正を認める。特許第３６００１４９号の訂正後の請求項１ないし２９に係る発明についての特許を無効とする。」との審決がなされた。
　この審決中、「訂正を認める。」とした部分、すなわち上記［訂正事項］については、当該無効審判（無効２００８−８０００５２号）の請求人・被請求人とも取消訴訟を提起する原告適格を有しないというべきであるから，同審決の送達（請求人、被請求人への送達日平成２０年６月１５日）により，上記［訂正事項］は，形式的に確定している（知的財産高等裁判所平成１９年（行ケ）第１００９９号事件・平成１９年７月２３日決定，知的財産高等裁判所平成１８年（行ケ）第１０４５５号事件・平成２０年２月１２日判決，知的財産高等裁判所平成１９年（行ケ）第１０３８０号事件・平成２０年１１月２７日判決参照）。
　この形式的に確定した訂正を、「訂正１」といい、この「訂正１」後の明細書を「訂正明細書１」ということとすることは、前記のとおりである。
　
　平成２０年　３月２４日　無効審判請求（２００８−８０００５２号）
　平成２１年　６月　５日　審決（「訂正を認める。
　　　　　　　　特許第３６００１４９号の訂正後の請求項１ないし２９に
　　　　　　　　係る発明についての特許を無効とする。」）
　平成２１年６月１５日　請求人、被請求人への上記審決の送達
　
　したがって、再開した本件審判手続でなされた平成２１年１２月２８日の訂正請求（訂正２）前に、登録時の請求項１〜３４のうち請求項２１，２２，２８，３３，３４を削除することをその実質内容とする上記「訂正１」は形式的に確定している。
　
【第２】特許請求の範囲の記載（登録時、訂正１後、訂正２後）
　
［１］登録時の特許請求の範囲の記載
　登録時における本件特許の願書に添付した明細書の特許請求の範囲の請求項１〜３４の各記載は，次のとおりである。
　このうち、無効を求めた特許に係る請求項は、登録時の特許請求の範囲の請求項１６および２６である。
　
「【請求項１】
タイトル、放送時間そしてチャンネルをそれぞれが含んでいる複数のテレビジョン番組リストを電子メモリに記憶するステップ、
時間とチャンネルのグリッドガイド形式で前記の複数のテレビジョン番組リストのチャンネルの中の幾つかをモニタースクリーン上に表示するステップ、
このモニタースクリーン上でカーソルを移動してグリッドガイド形式で表示されたチャンネルの一つに目印を付けるステップ、そして
グリッドガイド形式の代わりに単一チャンネル形式でその目印を付けたチャンネルを表示するステップ
を備え、前記の単一チャンネル形式はその目印を付けたチャンネルに対応するチャンネルのテレビジョン番組リストを順次配列した行を含んでいることを特徴としたテレビジョン番組リストのデータベースを閲覧する方法。
【請求項２】
スクリーン上でカーソルを移動して前記の単一チャンネル形式内の別の表示タイトルに目印を付ける請求項１に記載の方法。
【請求項３】
前記の記憶するステップが前記の複数のテレビジョン番組リストに関連する番組ノートを追加して記憶し、前記のグリッドガイド形式で表示するステップが前記のテレビジョン番組リストと同時に、当該目印を付けられたチャンネルに対応する番組ノートを表示する請求項１に記載の方法。
【請求項４】
タイトル、放送時間そしてチャンネルをそれぞれが含んでいる複数のテレビジョン番組リストを電子メモリに記憶するステップ、
放送時間についてテレビジョン番組リストのタイトルとチャンネルとを第１形式でモニタースクリーン上に表示するステップ、
このモニタースクリーン上でカーソルを移動して第１形式で表示されたチャンネルの一つに目印を付けるステップ、そして
第１形式の代わりに第２形式でその目印を付けたチャンネルを含む番組リストのタイトルと時間とを表示するステップ
を備えていることを特徴としたテレビジョン番組リストのデータベースを閲覧する方法。
【請求項５】
前記の記憶するステップが番組リストに対応する番組ノートを追加して記憶し、そして前記の第2形式で表示するステップが番組ノートをテレビジョン番組リストと同時に表示する請求項４に記載の方法。
【請求項６】
タイトル、放送時間そしてチャンネルをそれぞれが含んでいる複数のテレビジョン番組リスト、
このテレビジョン番組リストの中の幾つかを表示する時間とチャンネルのグリッドガイド、
このグリッドガイドに表示されたテレビジョン番組リストの一つを選択して目立たさせる可動カーソル、そして
時間とチャンネルのグリッドガイドをその目立たせたテレビジョン番組リストのチャンネルの単一チャンネルガイドに変える手段
を備えていることを特徴とする電子番組ガイド。
【請求項７】
テレビジョン番組リストが更に番組ノートを含み、そして当該目立たさせたチャンネルの番組ノートが電子番組ガイド内の番組リストと同時に表示される請求項６に記載の電子番組ガイド。
【請求項８】
テレビジョン番組リストを複数のセル内に表示している時間とチャンネルのグリッドガイド形式で表示モニターに、RAMに記憶したテレビジョン番組リストを表示させる信号を発生し、
その表示されたテレビジョン番組リストの一つを目立たさせる信号を発生し、そして
グリッドガイド形式の代わりに単一チャンネル形式でその目立たされたテレビジョン番組リストを表示する信号を発生
するようプログラムされていることを特徴としたマイクロプロセッサ。
【請求項９】
チャンネルカスタム化のチャンネルリスト内の複数のチャンネルに対するテレビジョン番組リストを電子メモリに記憶するステップ、
時間とチャンネルのガイド形式でテレビジョン番組リストの中の幾つかをモニタースクリーンに表示するステップ、そして
前記のチャンネルリスト内の複数のチャンネルを視聴者の関心と一致する好ましい順序に配列するステップ
を備えることを特徴とするテレビジョン番組リストのデータベースを閲覧する方法。
【請求項１０】
前記の配列するステップが、設定された順序でチャンネルリスト内で複数のチャンネルの各々を時間にわたって表示するステップと、表示される複数のチャンネルに対するチャンネルリスト内の優先順位を選択するステップを備える請求項９に記載の方法。
【請求項１１】
チャンネルリスト内で複数のチャンネルの各々を表示するステップが、そのチャンネルリスト内のチャンネル毎にチャンネルラベルを表示することを含む請求項１０に記載の方法。
【請求項１２】
チャンネルカスタム化のチャンネルリスト内の複数のチャンネルに対するテレビジョン番組リストを電子メモリに記憶する手段、
時間とチャンネルのガイド形式でテレビジョン番組リストの中の幾つかをモニタースクリーンに表示する手段、そして
前記のチャンネルリスト内の複数のチャンネルを視聴者の関心と一致する好ましい順序に配列する手段
を備えることを特徴とする電子プログラムガイド。
【請求項１３】
前記のガイドのチャンネルリストの複数のチャンネルを好ましい順位に配列するための手段を更に含む請求項１２に記載の電子番組ガイド。
【請求項１４】
前記の配列するための手段が、複数のチャンネルの中で順位を変えようとする一つのチャンネルを選択して目立たさせるためにガイド上に表示された移動可能なカーソルを含み、その目立たさせたチャンネルがチャンネルリスト内で第1の位置から第2の位置に移動するようにした請求項１３に記載の電子番組ガイド。
【請求項１５】
前記の配列するための手段が、設定された順序で時間にわたってチャンネルリスト内の複数のチャンネルの各々を表示するための手段と、表示されている複数のチャンネルの各々に対するチャンネルリスト内の優先順位を選択するための手段を備える請求項１３に記載の電子番組ガイド。
【請求項１６】
複数のテレビジョン番組リストに対応し、テレビジョン番組リスト毎にタイトル、チャンネルそして開始時間を含んでいるデータファイルをメモリに記憶するステップ、
メモリに記憶されている複数のテレビジョン番組リストをディスプレイモニターに表示するステップ、
記録するためビデオ記録媒体をVCRまたはその他の記録装置内に装填するステップ、
表示された複数のテレビジョン番組リストの中の一つを記録するために選択するステップ、そして
記録するために選択されたテレビジョン番組リストが示している番組をVCRまたはその他の記録装置に記録するするために前記の記録するために選択されたテレビジョン番組リストのデータを前記のデータファイルからVCRまたはその他の記録装置に転送するステップ
を備えることを特徴とするVCRまたはその他の記録装置を使用して、ビデオ記録媒体にテレビジョン番組を記録する方法。
【請求項１７】
ビデオ記録媒体に記録された番組のディレクトリを生成するスッテプ、そして
記録のために選択されたテレビジョン番組リストに対応するタイトルをデータファイルから前記のディレクトリに加えるステップ
を含み、前記のディレクトリは番組タイトルと記録位置を含んでいる請求項１６に記載の方法。
【請求項１８】
VCRまたはその他の記録装置内のビデオ記録媒体の記録位置を測定するステップ、そして記録のために選択された番組リストが示す番組の記録の開始時に、その測定した記録位置を前記のディレクトリに加えるステップを更に含む請求項１７に記載の方法。
【請求項１９】
複数のテレビジョン番組リストに対応するデータファイルをメモリに記憶するステップが、ビデオ番組を搬送するテレビジョン信号のVBIからデータファイルをダウンロードすることを含む請求項１７に記載の方法。
【請求項２０】
複数のテレビジョン番組リストに対応するデータファイルをメモリに記憶するステップが、RAMの一つのセクションにデータファイルを記憶することを含む請求項１７に記載の方法。
【請求項２１】
ビデオ記録媒体に記録された番組のディレクトリを生成するステップが、RAMの別のセクションにディレクトリを記憶することを含む請求項１９に記載の方法。
【請求項２２】
ビデオ記録媒体に記録された番組のディレクトリを生成するスッテプが、RAMの別のセクションに別のビデオ記録媒体のディレクトリを記憶することを含む請求項２１に記載の方法。
【請求項２３】
複数のテレビジョン番組リストに対応するデータファイルをメモリに記憶するステップが、一つのチャンネル特定番組ガイドを記憶することを含む請求項１７に記載の方法。
【請求項２４】
複数のテレビジョン番組リストに対応するデータファイルをメモリに記憶するステップが、複数のチャンネル特定番組ガイドを記憶することを含む請求項１７に記載の方法。
【請求項２５】
表示された複数のテレビジョン番組リストの中の一つを記録するために選択するステップが、表示モニター上に移動可能なカーソルを提供し、そしてカーソルをモニター上で移動して、表示されたテレビジョン番組リストの一つを選択する請求項１６に記載の方法。
【請求項２６】
複数のテレビジョン番組リストに対応し、テレビジョン番組リスト毎にタイトル、チャンネルそして開始時間を含んでいるデータファイルが記憶される電子メモリ、
この電子メモリに記憶された複数のテレビジョン番組リストを表示するディスプレイモニター、
番組タイトルと記録位置を含む、ビデオ記録媒体に記録された番組ディレクトリ、
表示された複数のテレビジョン番組リストの中の一つを記録するために選択する手段、
記録するために選択されたテレビジョン番組リストに対応するデータをデータファイルからVCRまたはその他の記録装置の記録スタックに転送し、VCRまたはその他の記録装置が前記の記録するために選択されたテレビジョン番組リストが示している番組を記録する手段
を備え、前記の記録するために選択されたテレビジョン番組リストに対応するデータファイルからのタイトルが前記のディレクトリに加えられることを特徴としたVCRまたはその他の記録装置を使用して、ビデオ記録媒体にテレビジョン番組を記録し、そしてインデックスを付けるシステム。
【請求項２７】
VCRまたはその他の記録装置内のビデオ記録媒体の記録位置を測定する手段を含み、記録するために選択されたテレビジョン番組リストが示している番組の記録の開始時にその測定された記録位置が前記のディレクトリに加えられる請求項２６に記載のシステム。
【請求項２８】
ビデオ番組を搬送するテレビジョン信号のVBIからデータファイルをダウンロードする手段を更に含む請求項２３に記載のシステム。
【請求項２９】
表示された番組リストの一つを選択する手段が、ディスプレイモニター上に与えられた移動可能なカーソルを備える請求項２６に記載のシステム。
【請求項３０】
タイトル、チャンネルそして開始時間をテレビジョン番組リスト毎に含んでいる複数のテレビジョン番組リストのデータファィルを記憶しているRAMから前記の複数のテレビジョン番組リストを取り出してディスプレイモニターに表示する信号を発生し、
この表示された複数のテレビジョン番組リストの中の一つを記録するためその一つのテレビジョン番組リストを特定する信号を発生し、そして
この記録するために選択されたテレビジョン番組リストに対応するデータをデータファイルからVCRまたはその他の記録装置に転送するための信号を発生するよう
プログラムされ、前記の記録するために選択されたテレビジョン番組リストが示している番組を記録させるようにすることを特徴としたマイクロプロセッサ。
【請求項３１】
ビデオ記録媒体に記録される番組のディレクトリを生成する信号と、記録するために選択されたテレビジョン番組リストに対応するデータファイルからのタイトルを前記のディレクトリに加えるための信号とを発生するように追加的にプログラムされており、前記のディレクトリが番組タイトルと記録位置とを含む請求項３０に記載のマイクロプロセッサ。
【請求項３２】
VCRまたはその他の記録装置内のビデオ記録媒体の記録位置を測定する信号を発生し、そして記録するために選択されたテレビジョン番組リストが示している番組の記録の開始時にその測定された記録位置をディレクトリに加える信号を発生するよう追加的にプログラムされている請求項３１に記載のマイクロプロセッサ。
【請求項３３】
受信したテレビジョン信号から番組内容のテーマカテゴリーとそれに関連する詳細を含む番組情報を取り出す手段と、
この番組情報をデータベースとしてメモリに記憶する手段と、
テレビジョンモニター上に前記のデータベースからテーマカテゴリーを第1分類として取り出し表示する手段と、
第1分類のテーマカテゴリーに関連する第2分類としての属性を示すトピックスを前記のデータベースから取り出し表示する手段と
を備えたことを特徴とするテレビジョン信号が含む番組ガイド情報をテレビジョンモニターに表示する電子番組ガイド。
【請求項３４】
前記のトピックス内容に関連した更なる属性、視聴資格などを示す第3分類を備える請求項３３に記載の電子番組ガイド。」
　
［２］訂正１後の特許請求の範囲の記載
　別の無効審判（無効２００８−８０００５２号）の審決の送達により、登録時の請求項１〜３４のうち請求項２１，２２，２８，３３，３４を削除することをその実質内容とする上記「訂正１」が、形式的に確定したことは前記のとおりであり、
　この「訂正１」後の明細書の特許請求の範囲の請求項１〜２９の各記載は，次のとおりである。
　このうち、無効を求めた特許に係る請求項（登録時の請求項１６及び２６）は、この「訂正１」により、特許請求の範囲の請求項１６及び２４（訂正１後）となった。
　
　「【請求項１】
タイトル、放送時間そしてチャンネルをそれぞれが含んでいる複数のテレビジョン番組リストを電子メモリに記憶するステップ、
時間とチャンネルのグリッドガイド形式で前記の複数のテレビジョン番組リストのチャンネルの中の幾つかをモニタースクリーン上に表示するステップ、
このモニタースクリーン上でカーソルを移動してグリッドガイド形式で表示されたチャンネルの一つに目印を付けるステップ、そして
グリッドガイド形式の代わりに単一チャンネル形式でその目印を付けたチャンネルを表示するステップ
を備え、前記の単一チャンネル形式はその目印を付けたチャンネルに対応するチャンネルのテレビジョン番組リストを順次配列した行を含んでいることを特徴としたテレビジョン番組リストのデータベースを閲覧する方法。
【請求項２】
スクリーン上でカーソルを移動して前記の単一チャンネル形式内の別の表示タイトルに目印を付ける請求項１に記載の方法。
【請求項３】
前記の記憶するステップが前記の複数のテレビジョン番組リストに関連する番組ノートを追加して記憶し、前記のグリッドガイド形式で表示するステップが前記のテレビジョン番組リストと同時に、当該目印を付けられたチャンネルに対応する番組ノートを表示する請求項１に記載の方法。
【請求項４】
タイトル、放送時間そしてチャンネルをそれぞれが含んでいる複数のテレビジョン番組リストを電子メモリに記憶するステップ、
放送時間についてテレビジョン番組リストのタイトルとチャンネルとを第１形式でモニタースクリーン上に表示するステップ、
このモニタースクリーン上でカーソルを移動して第１形式で表示されたチャンネルの一つに目印を付けるステップ、そして
第１形式の代わりに第２形式でその目印を付けたチャンネルを含む番組リストのタイトルと時間とを表示するステップ
を備えていることを特徴としたテレビジョン番組リストのデータベースを閲覧する方法。
【請求項５】
前記の記憶するステップが番組リストに対応する番組ノートを追加して記憶し、そして前記の第2形式で表示するステップが番組ノートをテレビジョン番組リストと同時に表示する請求項４に記載の方法。
【請求項６】
タイトル、放送時間そしてチャンネルをそれぞれが含んでいる複数のテレビジョン番組リスト、
このテレビジョン番組リストの中の幾つかを表示する時間とチャンネルのグリッドガイド、
このグリッドガイドに表示されたテレビジョン番組リストの一つを選択して目立たさせる可動カーソル、そして
時間とチャンネルのグリッドガイドをその目立たせたテレビジョン番組リストのチャンネルの単一チャンネルガイドに変える手段
を備えていることを特徴とする電子番組ガイド。
【請求項７】
テレビジョン番組リストが更に番組ノートを含み、そして当該目立たさせたチャンネルの番組ノートが電子番組ガイド内の番組リストと同時に表示される請求項６に記載の電子番組ガイド。
【請求項８】
テレビジョン番組リストを複数のセル内に表示している時間とチャンネルのグリッドガイド形式で表示モニターに、RAMに記憶したテレビジョン番組リストを表示させる信号を発生し、
その表示されたテレビジョン番組リストの一つを目立たさせる信号を発生し、そして
グリッドガイド形式の代わりに単一チャンネル形式でその目立たされたテレビジョン番組リストを表示する信号を発生
するようプログラムされていることを特徴としたマイクロプロセッサ。
【請求項９】
チャンネルカスタム化のチャンネルリスト内の複数のチャンネルに対するテレビジョン番組リストを電子メモリに記憶するステップ、
時間とチャンネルのガイド形式でテレビジョン番組リストの中の幾つかをモニタースクリーンに表示するステップ、そして
前記のチャンネルリスト内の複数のチャンネルを視聴者の関心と一致する好ましい順序に配列するステップ
を備えることを特徴とするテレビジョン番組リストのデータベースを閲覧する方法。
【請求項１０】
前記の配列するステップが、設定された順序でチャンネルリスト内で複数のチャンネルの各々を時間にわたって表示するステップと、表示される複数のチャンネルに対するチャンネルリスト内の優先順位を選択するステップを備える請求項９に記載の方法。
【請求項１１】
チャンネルリスト内で複数のチャンネルの各々を表示するステップが、そのチャンネルリスト内のチャンネル毎にチャンネルラベルを表示することを含む請求項１０に記載の方法。
【請求項１２】
チャンネルカスタム化のチャンネルリスト内の複数のチャンネルに対するテレビジョン番組リストを電子メモリに記憶する手段、
時間とチャンネルのガイド形式でテレビジョン番組リストの中の幾つかをモニタースクリーンに表示する手段、そして
前記のチャンネルリスト内の複数のチャンネルを視聴者の関心と一致する好ましい順序に配列する手段
を備えることを特徴とする電子プログラムガイド。
【請求項１３】
前記のガイドのチャンネルリストの複数のチャンネルを好ましい順位に配列するための手段を更に含む請求項１２に記載の電子番組ガイド。
【請求項１４】
前記の配列するための手段が、複数のチャンネルの中で順位を変えようとする一つのチャンネルを選択して目立たさせるためにガイド上に表示された移動可能なカーソルを含み、その目立たさせたチャンネルがチャンネルリスト内で第1の位置から第2の位置に移動するようにした請求項１３に記載の電子番組ガイド。
【請求項１５】
前記の配列するための手段が、設定された順序で時間にわたってチャンネルリスト内の複数のチャンネルの各々を表示するための手段と、表示されている複数のチャンネルの各々に対するチャンネルリスト内の優先順位を選択するための手段を備える請求項１３に記載の電子番組ガイド。
【請求項１６】
複数のテレビジョン番組リストに対応し、テレビジョン番組リスト毎にタイトル、チャンネルそして開始時間を含んでいるデータファイルをメモリに記憶するステップ、
メモリに記憶されている複数のテレビジョン番組リストをディスプレイモニターに表示するステップ、
記録するためビデオ記録媒体をVCRまたはその他の記録装置内に装填するステップ、
表示された複数のテレビジョン番組リストの中の一つを記録するために選択するステップ、そして
記録するために選択されたテレビジョン番組リストが示している番組をVCRまたはその他の記録装置に記録するするために前記の記録するために選択されたテレビジョン番組リストのデータを前記のデータファイルからVCRまたはその他の記録装置に転送するステップ
を備えることを特徴とするVCRまたはその他の記録装置を使用して、ビデオ記録媒体にテレビジョン番組を記録する方法。
【請求項１７】
ビデオ記録媒体に記録された番組のディレクトリを生成するスッテプ、そして
記録のために選択されたテレビジョン番組リストに対応するタイトルをデータファイルから前記のディレクトリに加えるステップ
を含み、前記のディレクトリは番組タイトルと記録位置を含んでいる請求項１６に記載の方法。
【請求項１８】
VCRまたはその他の記録装置内のビデオ記録媒体の記録位置を測定するステップ、そして記録のために選択された番組リストが示す番組の記録の開始時に、その測定した記録位置を前記のディレクトリに加えるステップを更に含む請求項１７に記載の方法。
【請求項１９】
複数のテレビジョン番組リストに対応するデータファイルをメモリに記憶するステップが、ビデオ番組を搬送するテレビジョン信号のVBIからデータファイルをダウンロードすることを含む請求項１７に記載の方法。
【請求項２０】
複数のテレビジョン番組リストに対応するデータファイルをメモリに記憶するステップが、RAMの一つのセクションにデータファイルを記憶することを含む請求項１７に記載の方法。
【請求項２１】
複数のテレビジョン番組リストに対応するデータファイルをメモリに記憶するステップが、一つのチャンネル特定番組ガイドを記憶することを含む請求項１７に記載の方法。
【請求項２２】
複数のテレビジョン番組リストに対応するデータファイルをメモリに記憶するステップが、複数のチャンネル特定番組ガイドを記憶することを含む請求項１７に記載の方法。
【請求項２３】
表示された複数のテレビジョン番組リストの中の一つを記録するために選択するステップが、表示モニター上に移動可能なカーソルを提供し、そしてカーソルをモニター上で移動して、表示されたテレビジョン番組リストの一つを選択する請求項１６に記載の方法。
【請求項２４】
複数のテレビジョン番組リストに対応し、テレビジョン番組リスト毎にタイトル、チャンネルそして開始時間を含んでいるデータファイルが記憶される電子メモリ、
この電子メモリに記憶された複数のテレビジョン番組リストを表示するディスプレイモニター、
番組タイトルと記録位置を含む、ビデオ記録媒体に記録された番組ディレクトリ、
表示された複数のテレビジョン番組リストの中の一つを記録するために選択する手段、
記録するために選択されたテレビジョン番組リストに対応するデータをデータファイルからVCRまたはその他の記録装置の記録スタックに転送し、VCRまたはその他の記録装置が前記の記録するために選択されたテレビジョン番組リストが示している番組を記録する手段
を備え、前記の記録するために選択されたテレビジョン番組リストに対応するデータファイルからのタイトルが前記のディレクトリに加えられることを特徴としたVCRまたはその他の記録装置を使用して、ビデオ記録媒体にテレビジョン番組を記録し、そしてインデックスを付けるシステム。
【請求項２５】
VCRまたはその他の記録装置内のビデオ記録媒体の記録位置を測定する手段を含み、記録するために選択されたテレビジョン番組リストが示している番組の記録の開始時にその測定された記録位置が前記のディレクトリに加えられる請求項
２４
【請求項２６】
表示された番組リストの一つを選択する手段が、ディスプレイモニター上に与えられた移動可能なカーソルを備える請求項
２４
【請求項２７】
タイトル、チャンネルそして開始時間をテレビジョン番組リスト毎に含んでいる複数のテレビジョン番組リストのデータファィルを記憶しているRAMから前記の複数のテレビジョン番組リストを取り出してディスプレイモニターに表示する信号を発生し、
この表示された複数のテレビジョン番組リストの中の一つを記録するためその一つのテレビジョン番組リストを特定する信号を発生し、そして
この記録するために選択されたテレビジョン番組リストに対応するデータをデータファイルからVCRまたはその他の記録装置に転送するための信号を発生するよう
プログラムされ、前記の記録するために選択されたテレビジョン番組リストが示している番組を記録させるようにすることを特徴としたマイクロプロセッサ。
【請求項２８】
ビデオ記録媒体に記録される番組のディレクトリを生成する信号と、記録するために選択されたテレビジョン番組リストに対応するデータファイルからのタイトルを前記のディレクトリに加えるための信号とを発生するように追加的にプログラムされており、前記のディレクトリが番組タイトルと記録位置とを含む請求項
２７
【請求項２９】
VCRまたはその他の記録装置内のビデオ記録媒体の記録位置を測定する信号を発生し、そして記録するために選択されたテレビジョン番組リストが示している番組の記録の開始時にその測定された記録位置をディレクトリに加える信号を発生するよう追加的にプログラムされている請求項
２８
　
［３］本件訂正請求による上記「訂正２」後の明細書（訂正明細書２）の特許請求の範囲の記載の請求項１および２の各記載は，次のとおりである。
　
「【請求項１】
タイトル、放送時間そしてチャンネルをそれぞれが含んでいる複数のテレビジョン番組リスト、
このテレビジョン番組リストの中の幾つかを表示する時間とチャンネルのグリッドガイド、
このグリッドガイドに表示されたテレビジョン番組リストの一つを選択して目立たさせる可動カーソル、そして
時間とチャンネルのグリッドガイドをその目立たせたテレビジョン番組リストのチャンネルの単一チャンネルガイドに変える手段
を備えていることを特徴とする電子番組ガイド。
【請求項２】
テレビジョン番組リストを複数のセル内に表示している時間とチャンネルのグリッドガイド形式で表示モニターに、RAMに記憶したテレビジョン番組リストを表示させる信号を発生し、
その表示されたテレビジョン番組リストの一つを目立たさせる信号を発生し、そして
グリッドガイド形式の代わりに単一チャンネル形式でその目立たされたテレビジョン番組リストを表示する信号を発生
するようプログラムされていることを特徴としたマイクロプロセッサ。」
　
【第３】当事者の主張 
　
　以下、本審決における「○１」、「○２」等の表記は、記号「○の中に数字を入れた記号」を示すものである。（情報処理システムの能力上、同記号を表すことができないことによる。）
　また、「【第３】当事者の主張」において、単にいう「本件（特許）発明１６」，「本件（特許）発明２６」，「請求項１６」，「請求項２６」とは、すべて登録時の請求項（発明）番号であり、それぞれ、登録時の請求項１６記載の発明，登録時の請求項２６記載の発明、登録時の請求項１６，登録時の請求項２６をいうものである。
　
【第３-１】請求人の主張（請求）
　
［１］請求の趣旨  
　本件特許請求の範囲の請求項１６および請求項２６に係る特許は、特許法第１２３条第１項の規定に該当し無効とすべきものである。
　審判費用は被請求人の負担とする。
　
［２］請求の理由（概要）
　（１）無効理由１（明細書の記載不備）
　　〈実施可能要件違反〉
　　発明の詳細な説明には、当業者が請求項１６および請求項２６に係る発
　明を容易に実施できる程度に、その発明の構成等を記載していないので、
　特許法（平成２年法）第３６条第４項に規定する要件を満たしていない。
　　〈サポート要件違反〉
　　請求項１６および請求項２６は、発明の詳細な説明に記載されていない
　事項を含むので、特許法（平成２年法）第３６条第５項第１号に規定する
　要件を満たしていない。
　　〈明確性要件違反〉
　　請求項１６及び請求項２６は、特許を受けようとする発明の構成に欠く
　ことができない事項のみを記載していない（意味が不明な事項を含むので
　）ので、特許法（平成２年法）第３６条第５項第２号に規定する要件を満　たしていない。
　　上記の実施可能要件、明確性要件、サポート要件についての適用法は、
　分割が適法である場合の平成２年法の第３６条第４項，第５項第１号，第
　２号として主張しているが、分割不適法である場合、平成６年法の第３６
　条第４項，第６項第１号，第２号である。
　
　（２）無効理由２-１（新規性欠如・進歩性欠如）
　　　請求項１６に係る発明は、甲第１号証に記載された発明であるから、
　　特許法第２９条第１項第３号に該当し特許を受けることができない。
　　　請求項１６および請求項２６に係る発明は、甲第１号証および甲第２
　　号証に記載された発明に基づいて当業者が容易に発明をすることができ
　　たものであるから、特許法第２９条第２項の規定により特許を受けるこ
　　とができない。
　
　（３）無効理由２-２（分割不適法、出願日不遡及を前提とする進歩性欠　　　　如、特許法第２９条第２項）
　　　請求項１６および請求項２６に係る発明は原出願の出願当初の明細書
　　又は図面に記載した事項の範囲外のものを含んでいるから、本件（分割
　　）出願は特許法第４４条に規定する要件を満たしておらず、本件出願の　　出願日は、原出願の出願日（平成３年９月１０日）に遡及せず、現実の　　出願日の平成１２年１０月２０日になる。
　　　請求項１６および請求項２６に係る発明は、甲第４号証（原出願の公
　　表公報）および甲第２号証に記載された発明に基づいて当業者が容易に
　　発明をすることができたものであるから、特許法第２９条第２項の規定
　　により特許を受けることができない。
　
　なお、審判請求書における、本件発明１６および本件発明２６は、甲第４号証（原出願の公表公報）に記載された各発明と実質的に同一である、との主張は、第１回口頭審理において取り下げられた。
　また、審判請求書における、本件発明１６および本件発明２６は、甲第４号証（原出願の公表公報）および、甲第１号証又は甲第２号証に記載された発明に基づいて当業者が容易に発明をすることができたものであるとの主張は、第１回口頭審理において、容易想到性の基礎としての刊行物から甲１号証を除外して上記の主張に訂正された。
　
　（４）無効理由３（自然法則を利用せず。特許法第２９条第１項柱書）
　　　請求項１６および、請求項２６に係る発明は、自然法則を利用した技
　　術的思想の創作に該当しないから、特許法第２９条第１項柱書の規定に
　　より特許を受けることができない。
　
［３］請求の理由の要点 
　
　〈構成要件の分説〉
　請求人は、本件発明１６の構成要件を次のとおりＡ〜Ｆ，本件発明２６の構成要件を下記のとおりａ〜ｆに分説した上、無効理由を主張しており、被請求人も、この分説にしたがって答弁している。
　
　　　　　記（本件発明１６，２６の構成要件の分説）
　
　【本件発明１６】
　Ａ：複数のテレビジョン番組リストに対応し、テレビジョン番組リスト毎　　　にタイトル、チャンネルそして開始時間を含んでいるデータファイル　　　をメモリに記憶するステップ、
　Ｂ：メモリに記憶されている複数のテレビジョン番組リストをディスプレ　　　イモニターに表示するステップ、
　Ｃ：記録するためビデオ記録媒体をＶＣＲまたはその他の記録装置内に装　　　填するステップ、
　Ｄ：表示された複数のテレビジョン番組リストの中の一つを記録するため　　　に選択するステップ、そして
　Ｅ：記録するために選択されたテレビジョン番組リストが示している番組　　　をＶＣＲまたはその他の記録装置に記録するするために前記の記録す　　　るために選択されたテレビジョン番組リストのデータを前記のデータ　　　ファイルからＶＣＲまたはその他の記録装置に転送するステップ
　Ｆ：を備えることを特徴とするＶＣＲまたはその他の記録装置を使用して　　　、ビデオ記録媒体にテレビジョン番組を記録する方法
　
　【本件発明２６】
　ａ：複数のテレビジョン番組リストに対応し、テレビジョン番組リスト毎　　　にタイトル、チャンネルそして開始時間を含んでいるデータファイル　　　が記憶される電子メモリ、
　ｂ：この電子メモリに記憶された複数のテレビジョン番組リストを表示す　　　るディスプレイモニター、
　ｃ：番組タイトルと記録位置を含む、ビデオ記録媒体に記録された番組デ　　　ィレクトリ、
　ｄ：表示された複数のテレビジョン番組リストの中の一つを記録するため　　　に選択する手段、
　ｅ：記録するために選択されたテレビジョン番組リストに対応するデータ　　　をデータファイルからＶＣＲまたはその他の記録装置の記録スタック　　　に転送し、ＶＣＲまたはその他の記録装置が前記の記録するために選　　　択されたテレビジョン番組リストが示している番組を記録する手段
　　　を備え、
　ｆ：前記の記録するために選択されたテレビジョン番組リストに対応する　　　データファイルからのタイトルが前記のディレクトリに加えられるこ　　　とを特徴としたＶＣＲまたはその他の記録装置を使用して、ビデオ記　　　録媒体にテレビジョン番組を記録し、そしてインデックスを付けるシ　　　ステム 
　
［３.１］無効理由１（明細書の記載不備、特許法第３６条）の要点
　
　請求人の主張する無効理由の条文について、第３６条第４項，同条第５項第１号，第５項第２号を、それぞれ、36-4，36-5-1，36-5-2と略記して括弧内に記した。
　
　〈本件発明１６について〉（請求書の○２-1、１２頁末行〜２４頁４行）
　
　〔Ａ〕
構成要件Ａ
　　(1)「テレビジョン番組リスト」の意味が不明。
　　「テレビジョン番組リスト」という用語は、本件明細書を参酌しても、「テレビジョン番組表（表全体）」という意味と「個々のテレビジョン番組表に含まれる項目・事項（例えば、番組のタイトル、チャンネル、放送時間など）」という意味の２通りの意味に解釈でき、その意味が不明である。
　　すなわち、「リスト」は「一覧表」と云う意味を有することから、一般に「テレビジョン番組リスト」と云う用語は、「テレビジョン番組の一覧表、テレビジョン放送の番組表、テレビジョン番組表」程度の意味に解するのが通常であるし、段落0011、0031からも「テレビジョン番組表（表全体）」を意味すると解釈できる一方、構成要件Ｄ、Ｅ、段落0037からは、「表に含まれる一部分の項目・事項」を表すとも把握できる記載が含まれている。
　　(2)「データファイル」について、発明の詳細な説明の記載が不充分。
　　本件明細書の段落0011以降の[発明の実施の形態]において、「データファイル」とは、どのようなものであるか一切説明されていない。しかも、構成要件Ａでは、「データファイルは、テレビジョン番組リスト毎にタイトル、チャンネルそして開始時間を含む」ことになっているが、このような「データファイル」についても、[発明の実施の形態]で説明されていない。
　　(3)「・・・を含んでいるデータファイルをメモリに記憶する」について、発明の詳細な説明の記載が不充分。
　　「複数のテレビジョン番組リストに対応し、テレビジョン番組リスト毎にタイトル、チャンネルそして開始時間を含んでいるデータファイルをメモリに記憶」と云う記載を含むが、「テレビジョン番組リスト」が２通りの意味に解釈でき（上記(1)）、記載内容が不明瞭である。また、段落0074，0077からは、「リストデータとして、タイトル、チャンネルそして開始時間をスケジュールメモリ２３２に記憶」することは把握できるが、
テレビジョン番組リスト毎に
　
　〔Ｂ〕
構成要件Ｂ
　　(4)「メモリに記憶されている複数のテレビジョン番組リスト」について、発明の詳細な説明の記載が不充分。
　　(5)「複数のテレビジョン番組リストをディスプレイモニターに表示」について、発明の詳細な説明の記載が不充分。
　　構成要件Ｂは、上記〔Ａ〕のように２通りの意味に解釈でき不明な「テレビジョン番組リスト」を含んでいて、不明である。「テレビジョン番組リスト」が「テレビジョン番組表（表全体）」である場合の構成要件Ｂについて発明の詳細な説明に記載がない。
　
　〔Ｃ〕
構成要件Ｃ
　　(6)「その他の記録装置」について、発明の詳細な説明の記載が不充分。
　　「その他の記録装置」は、どのようなものであるか不明であり、当業者が容易に実施できる程度に、「その他の記録装置」に係る構成等が発明の詳細な説明に記載されていない。
　本件特許明細書は、段落００３６〜段落００５１で、ランダムアクセス型のビデオ記録媒体では生じることのない、非ランダムアクセス型のビデオ記録媒体であるテープについての各種問題、及び、それらの問題を解決するための構成・処理内容等を記載しており、本件特許明細書のＶＣＲに関する例示的な説明は、ランダムアクセス型のビデオ記憶媒体を扱う記録装置に関係しないため、ランダムアクセス型のビデオ記憶媒体を扱う記録装置については、本件特許明細書に当業者が実施できる程度の記載がない。
　
　　なお、審判請求書における、構成要件Ｃの「
ビデオ記録媒体を
装填
　
　〔Ｄ〕
構成要件Ｄ
　　(8)「表示された複数のテレビジョン番組リストの中の一つを…選択」について、発明の詳細な説明の記載が不充分。　
　　構成要件Ｄは、上記〔Ａ〕のように２通りの意味に解釈でき不明な「テレビジョン番組リスト」を含んでいて、不明である。
  　段落0017，0019の記載から、記録のために選択される対象は「
一つの番組
タイトル
　
　〔Ｅ〕
構成要件Ｅ
　　(9)「記録するする」の意味が不明。
　　(10)「・・・番組をＶＣＲ またはその他の記録装置に記録する」の意味が不明。番組の記録先が、構成要件Ｅ（「ＶＣＲまたはその他の記録装置」）と構成要件Ｆ（「ビデオ記録媒体」）で異なる。
　　(11)「テレビジョン番組リストのデータ」の意味が不明。
　　構成要件Ｅは、上記〔Ａ〕のように２通りの意味に解釈でき不明な「テレビジョン番組リスト」を含んでいて、不明である。
　　(12)「テレビジョン番組リストのデータを・・・転送」について、発明の詳細な説明の記載が不充分。
　　「テレビジョン番組リストのデータを前記のデータファイルからＶＣＲまたはその他の記録装置に転送する」に係る「転送」について、当業者が容易に実施できる程度にその構成が発明の詳細な説明に記載されていない。段落0043では「
データファイルから
　　また、「テレビジョン番組リストのデータ」と云う記載は、２通りの意味に解釈できるので、構成要件Ｅにおいて転送する対象が不明瞭となり、特許を受けようとする発明を明確に把握できない。
　
　〔Ｆ〕
構成要件Ｆ
　　(13)「その他の記録装置を使用して、ビデオ記録媒体にテレビジョン番組を記録」について、発明の詳細な説明の記載が不充分。
　　上記(6)で説明したように、「その他の記録装置」について、当業者が容易に実施できる程度に、その構成等が発明の詳細な説明に記載されていないので、当然、「その他の記録装置を使用して、ビデオ記録媒体にテレビジョン番組を記録する」ことも、当業者が容易に実施できる程度に、その構成等が発明の詳細な説明に記載されていないし、「その他の記録装置を使用して、どのようにビデオ記録媒体にテレビジョン番組を記録する」のか不明であり、特許を受けようとする発明を明確に把握することができない。
  
　〈本件発明２６について〉（請求書の○２-2、２４頁５行〜３１頁９行）
　
　〔ａ〕
構成要件ａ
　　(1)「テレビジョン番組リスト」の意味が不明。
　　(2) データファイル」について、発明の詳細な説明の記載が不充分。
　　(3)「…を含んでいるデータファイルが記憶される電子メモリ」について、発明の詳細な説明の記載が不充分。
　　上記(1)〜(3)の記載不備については、本件発明１６における上記〔Ａ〕(1)〜(3)と同様である。
　
　〔ｂ〕
構成要件ｂ
　　(4)「電子メモリに記憶された複数のテレビジョン番組リスト」について、発明の詳細な説明の記載が不充分。
　　(5)「複数のテレビジョン番組リストを表示」について、発明の詳細な説明の記載が不充分。
　　上記(4)，(5)の記載不備については、本件発明１６における上記〔Ｂ〕(4)，(5)と同様である。
　
　〔ｃ〕
構成要件ｃ
　　(6)「記録位置」の意味が不明。
　　構成要件ｃの「記録位置」は、本件明細書等を参酌しても、「テレビジョン番組（番組のコンテンツデータ）が記録されている位置」（段落0036，0080）なのか、「目次と等価の番組タイトルが記録されている位置」（段落0038）なのか、何の記録位置なのか不明である。
　　(7)「番組タイトルと記録位置を含む、ビデオ記録媒体に記録された番組ディレクトリ」についての記載が不充分。
　　ビデオ記録媒体は、未使用の状態であれば、「番組ディレクトリ」を記録していないので、まず「番組ディレクトリ」をビデオ記録媒体に作成する必要があるが、構成要件ｃには、必須である「番組タイトルと記録位置を含む番組ディレクトリ」をビデオ記録媒体に作成する手段（番組ディレクトリを作成する手段）が記載されておらず、発明の構成に欠くことができない事項のみが記載されていないと共に、当業者が容易に実施できる程度にその構成等が発明の詳細な説明に記載されていない。
　　また、上記(6)のように、２通りの意味を有する「記録位置」と云う用語を含むので、構成要件ｃ自体の意味も不明瞭となり、当業者が容易に実施できる程度にその構成等が発明の詳細な説明に記載されておらず、特許を受けようとする発明を明確に把握できない。
　
　〔ｄ〕
構成要件ｄ
　　(8)「表示された複数のテレビジョン番組リストの中の一つを・・・選択」について、発明の詳細な説明の記載が不充分。
　　この点の記載不備については、本件発明１６についての上記〔Ｄ〕(8)と同様である。
　
　〔ｅ〕
構成要件ｅ
　　(9)「テレビジョン番組リストに対応するデータ」の意味が不明。
　　この点の記載不備については、本件発明１６についての上記〔Ｅ〕(11)と同様である。
　　(10)「ＶＣＲまたはその他の記録装置の記録スタック」の意味が不明。
　　 「ＶＣＲまたはその他の記録装置の記録スタック」と云う記載を含むが、この記載内容が不明瞭であると共に、発明の詳細な説明には、この記載内容を当業者が容易に実施できる程度に、その構成等が記載されていない。
　　「記録スタック」と云う用語は一般に、「記録領域」を意味するので、単に「ＶＣＲの記録スタック」と云う記載であれば、その記載内容は、「ＶＣＲが具備するメモリの記録領域」を意味するのか、または「ＶＣＲに装填されたビデオテープの記録領域」を意味するのか判別できない。
　また、本件明細書を参酌しても、本件明細書の[発明の実施の形態]の欄には、「記録スタック」と云う用語が記載されていないため、「ＶＣＲまたはその他の記録装置の記録スタック」と云う記載では、当業者が容易に実施できる程度にその構成等が発明の詳細な説明に記載されているとは云えない。
　　(11)「テレビジョン番組リストのデータを…転送」について、発明の詳細な説明の記載が不充分。
　　この点の記載不備については、上記本件発明１６についての〔Ｅ〕(12)と同様である。
　　(12)「…番組を記録する手段」について、「手段」の意味が不明。
　　構成要件ｅに係る記載において、末尾の「・・・手段」を除いた記載は、文節として文法的に成立しており、末尾の「・・・手段」は、どのような手段であるのか意味不明である。また、本件明細書にも、この構成要件ｅに係る内容に対応した記載が無いので、本件明細書を参酌しても、末尾の「・・・手段」は意味不明であると共に、構成要件ｅに係る内容について、当業者が容易に実施できる程度にその構成等が発明の詳細な説明に記載されていない。
　
　〔ｆ〕
構成要件ｆ
　　(13) 「タイトルが前記のディレクトリに加えられることを特徴とした」と云う記載内容が、どの手段により達成されるのか不明。
　　本件特許発明２６は、「タイトルをディレクトリに加える手段」を規定していないので、どのようにして「タイトルがディレクトリに加えられる」のか不明である。したがって、構成要件ｆには、発明の構成に欠くことができない事項のみが記載されていない。
　　段落0043，0077，0080，0081の記載では、「（番組）タイトル」がディレクトリに加えられることは一切説明されていないので、構成要件ｆの「タイトルが前記のディレクトリに加えられること」は、当業者が容易に実施できる程度にその構成等が発明の詳細な説明に記載されていない。
　　(14) 「インデックスを付ける」と云う意味が不明。
　　「インデックスを付ける」とは、どのようなことを指しているのか不明である。段落0038の記載から、「インデックス」は「タイトル」に相当し、「インデックスを付ける」とは、「タイトルが前記のディレクトリに加えられる」ことを意味するようにも解釈できるが、本件発明２６の(13)で説明したように、どのようにして「タイトルが前記のディレクトリに加えられる」のかが不明であるため、それに伴い、「インデックスを付ける」と云う内容も不明瞭になる。
　
［３.２］無効理由２-１（新規性・進歩性欠如、特許法第２９条第１項、第２項）の要点（請求書の○３、３１頁１１行〜４４頁１７行）
　
　〈本件発明１６について〉
　《(i)(ii)新規性欠如》
　以下のように、構成要件Ａ〜Ｆのすべてが甲１号証の（ア）〜（ク）の記載事項に相当することから、本件特許発明１６（構成要件Ａ〜Ｆ）は、特許出願前に頒布された刊行物（甲第１号証）に記載されたものである。
　・構成要件Ａ
　甲１号証の（ア）の記載は、構成要件Ａに相当する。
　ＦＤ（フロッピーディスク）が、記憶媒体の一種であることは明らかであるから、その意味で「メモリ」と同種のものである。
　・構成要件Ｂ
　（イ）及び（ウ）の記載から、「記憶媒体に記憶されている番組表をディスプレイ装置に表示する」旨が記載されていることになり、この記載事項は、本件特許発明１６の構成要件Ｂ（メモリに記憶されている複数の
テレビジョン番組リストをディスプレイモニターに表示
　・構成要件Ｃ
　ＶＴＲ装置内に記録用のビデオ・テープ（ビデオ記憶媒体）を装填することは技術常識である。（エ）の事項は、実質的に構成要件Ｃ（記録するため
ビデオ記録媒体をＶＣＲ
に装填
　・構成要件Ｄ
　（オ）の「ディスプレイ装置１に表示した番組表（ＦＤに記録される内容）の中から、録画したい番組を選択する」旨の記載は、構成要件Ｄ（表示された複数の
テレビジョン番組リストの中の一つを記録するために選択
　・構成要件Ｅ
　（カ）の「表示された番組の中から、録画するために選択された
番組の録画開始・終了日時及びチャンネル情報がＶＴＲ制御部３に登録
番組表に関する各種情報（データ）
ＶＴＲ制御部３へ、番組表に関する各種情報（データ）を転送
　（キ）の「ＦＤ（記憶媒体）に記憶された
録画対象の番組に係る情報（日付、曜日、チャンネル、時間）をＶＴＲ制御部３にセット
ＶＴＲ制御部３へ転送され
　これらのことより、（カ）及び（キ）の記載から把握できる事項は、構成要件Ｅ（記録するために選択されたテレビジョン番組リストが示している番組をＶＣＲまたはその他の記録装置に記録するするために前記の
記録するために選択されたテレビジョン番組リストのデータを
ＶＣＲ
に転送
　・構成要件Ｆ
　（ク）の記載より、「
ＶＴＲ装置２の録画機能を使用して、ビデオテープ（ビデオ記憶媒体）に番組を記録
ＶＣＲ
使用して、ビデオ記録媒体にテレビジョン番組を記録
　
　《(iii)進歩性欠如》
　仮に、構成要件Ｃが甲１号証には明記がなく、この点が相違点として判断された場合にあっても、甲２号証の（コ）及び（サ）には、「
セット本体にカセットが収納
　また、甲２号証の（ス）、（タ）、（チ）、第２図の「
番組名、チャンネル番号、放送日時等を含む付加信号を記憶部２８に記憶
付加信号に対するコード信号が記憶部２８から録再ヘッド１９に供給（転送）
録画処理部７を作動させて（使用して）、ビデオテープ９に番組の録画を行う
　構成要件Ａ、Ｅ、Ｆに相当する甲第１号証の（ア）、（カ）、（キ）、（ク）と同様の記載も含むことから、甲第１号証に記載された発明に、甲第２号証に記載された発明を適用することになんら困難性はない。
　
　〈本件発明２６について〉
　
　《進歩性欠如》
　《(i)一致点・相違点》
　・構成要件ａ、ｂ
　甲１号証の（ア）、（イ）、（ウ）の記載内容は、構成要件ａ、ｂに相当する。（本件発明１６の構成要件Ａ，Ｂと同様）
　ＦＤ（フロッピーディスク）が、記憶媒体の一種であることは明らかであるから、その意味で「メモリ」と同種のものである。
　・構成要件ｄ
　甲１号証の（オ）の記載内容は、構成要件ｄに相当する。
　・構成要件ｅ
　甲１号証の（カ）（キ）の記載から「
番組表に関する各種情報（データ）
番組表に関する各種情報（データ）をＦＤからＶＴＲ装置２のＶＴＲ制御部３へ転送
録画対象に係る情報（データ）をＦＤ（記憶媒体）からＶＴＲ装置２のＶＴＲ制御部３へ転送
テレビジョン番組リストに対応するデータをデータファイルからＶＣＲ
の記録スタックに転送
　（ク）の「ＶＴＲ装置２のＶＴＲ制御部３が録画機能を含む」記載から、「
ＶＴＲ装置２が、（ビデオ・テープに）番組を録画
　・構成要件ｆ
　甲１号証の（ク）の「ＶＴＲ装置２のＶＴＲ制御部３が録画機能を含む」の記載より、「
ＶＴＲ装置２を使用して、ビデオ・テープ（ビデオ記録媒体）に番組を録画
システム
ＶＴＲ装置２を使用して、ビデオ・テープ（ビデオ記録媒体）に番組を録画するシステム
ＶＣＲ
を使用して
ビデオ記録媒体にテレビジョン番組を記録
システム
　
　《相違点》
　本願発明２６と甲第１号証は、以下の点で相違する。
相違点１：甲第１号証には、本件特許発明２６の構成要件ｃ（「番組タイトルと記録位置を含む、ビデオ記録媒体に記録された番組ディレクトリ」）を開示する記載がない点。
相違点２：甲第１号証は、本件特許発明２６の構成要件ｆの一部（ＶＴＲ装置２を使用して、ビデオ・テープ（ビデオ記録媒体）に番組を録画するシステム）に相当する事項を有するが、本件特許発明２６の構成要件ｆに係る残りの部分に関する下記の２つの事項（ｆ−１、ｆ−２）がない点。
　（ｆ−１）「前記の記録するために選択されたテレビジョン番組リストに対応するデータファイルからのタイトルが前記のディレクトリに加えられること」
　（ｆ−２）「インデックスを付けること」
　
　《(ii)相違点の容易性》
　(ii)-１　相違点１について
　甲２号証の（シ）の「
付加データ（付加信号）
インデックス
ビデオテープ９
特定の記憶部分（テープの先頭もしくは末尾）
付加信号
番組名
ビデオテープ
録画可能領域にはインデックスＡ、Ｂ、Ｃ等が付される
番組名
記録位置を表すインデックス
ビデオテープ９における特定の記憶部分
　「ディレクトリ」と云う用語は、「コンピュータの
磁気記憶媒体
記録場所などを記録している部分
　そのため、上記（シ）〜（セ）の記載内容は、「
番組名
記録位置を表すインデックス
ビデオテープ９（ビデオ記録媒体）におけるディレクトリ」
番組タイトル
記録位置
ビデオ記録媒体
ディレクトリ
　
　(ii)-２　相違点２について
　上記「ｆ−１」の内容は、「
電子メモリに記憶されるタイトル（記録のために選択された番組のタイトル）がビデオ記録媒体の特定の記録部分に記録
　甲２号証の（ス）「
付加信号
番組名
付加データ（付加信号）及びインデックス
ビデオテープの所定領域（所定の記憶部分）に記憶
記憶部（電子メモリに相当）に記憶された番組名がビデオテープの所定の記憶部分に記憶
　
　(ii)-３　適用の合理性について
　甲２号証の（ス）（タ）（チ）の「第２図に示す番組表的な内容として、
番組名、チャンネル番号、放送日時等を含む付加信号を記憶する記憶部２８
付加信号に対するコード信号を記憶部２８から録再ヘッド１９に供給（転送）
録画処理部７が、（ビデオテープ９に）番組の録画を行う
　以上のように甲２号証は、構成要件ａ、ｅに相当する甲１号証の（ア）、（カ）、（キ）、（ク）と同等の記載を含むことから、
　甲第１号証に記載された発明に、甲第２号証に記載された発明を適用することは、いわゆる当業者であれば容易に推考し得る。
　
［３.３］無効理由２-２（分割不適法、出願日不遡及を前提とする進歩性欠如、特許法第２９条第２項）の要点（請求書の○３　４４頁１９行〜４５頁１５行）
　
　本件特許発明１６の構成要件Ａ及び本件特許発明２６の構成要件ａ中に記載された「テレビジョン番組リスト毎にタイトル、チャンネルそして開始時間を含んでいるデータファイル」は、本件特許の分割に係る原出願の出願当初の明細書又は図面（甲第４号証　特表平６−５０４１６５号公報）に記載がない。
　本件特許発明１６及び本件特許発明２６は、分割の原出願（特願平３−５１６６９１号）の出願当初の明細書又は図面に記載した事項の範囲内でないものを含み、分割の原出願に包含される発明ではないので、特許法第４４条に規定する要件を満たしていない。
　したがって、本件出願に係る分割は、不適法であるから、本件の出願日は、現実の出願日の平成１２年１０月２０日になる。
　請求項１６および請求項２６に係る発明は、甲第４号証（原出願の公表公報）および甲第２号証に記載された発明に基づいて当業者が容易に発明をすることができたものであるから、特許法第２９条第２項の規定により特許を受けることができない。
　本件特許明細書に記載事項にない「データファイルが、テレビジョン番組リスト毎にタイトル、チャンネル、開始時間を含むこと」、及び「そのようなデータファイルをメモリに記憶すること」は、甲第２号証の第４頁右下欄第４行〜第１５行に記載されている。本件特許発明１６、２６の他の構成要件は甲第４号証（特表平６−５０４１６５号公報　原出願の公表公報）の記載に一致する。（第１回口頭審理陳述要領書）
　
［３.４］無効理由３（自然法則を利用せず。特許法第２９条第１項柱書）の要点（請求書の○３　４５頁１７行〜４５頁１９行）
　
　本件特許発明１６の、
　構成要件Ｃの「記録するためビデオ記録媒体を装填する」ことは、人間の精神活動（「記録するため」）に基づいた人間の行為（「ビデオ記録媒体を装填する」）により達成されるものであり、
　構成要件Ｄの「複数のテレビジョン番組リストの中の一つを選択する」ことは、人間の精神活動により一つのリストが選択され、その選択された対象を人間が確定させる行為を行うことで達成されるものである。
　本件特許発明２６の、
　構成要件ｄの「複数のテレビジョン番組リストの中の一つ選択する」ことは、人間の精神活動により一つのリストが選択され、その選択された対象を人間が確定させると云う行為を行うことで達成されるものである。
　上記構成要件Ｃ、Ｄ、ｄの上記３つの「・・・する」ことは、いずれも、人間の精神活動及びそれに基づく行為を発明の構成として規定するものであるから、自然法則を利用した発明といえない構成であり、そのような構成を含む本件発明１６，２６は、いずれも、自然法則を利用した発明といえない。
　
［３.５］証拠方法 
　
　甲第１号証：特開平１−２０９３９９号公報
　甲第２号証：特開平２−８１３８５号公報
　甲第３号証：本件特許公報（特許第３６００１４９号）
　甲第４号証：特表平６−５０４１６５号公報（原出願の公表公報）
　
【第３-２】被請求人の主張（答弁） 
　
［１］答弁の趣旨 
　本件審判の請求は成り立たない。  
　審判費用は請求人の負担とする。
　
［２］答弁の理由の要点 
　
［２.１］無効理由１（明細書の記載不備、特許法第３６条）に対して
　本件発明１６も本件発明２６も特許法第３６条の規定に基づく無効理由は存在しない。
　
　〈本件発明１６について〉（答弁書の２頁１６行〜１９頁２５行）
　
　（１）「テレビジョン番組リスト」について
　　「テレビジョン番組リスト」とは、本件特許請求の範囲の記載に基づき、特許請求の範囲の記載全体を考慮して技術的に合理的に理解すれば、「テレビジョン番組を特定するための個々の番組単位の番組情報」と解釈すべきであることは、以下の(i)〜(v)から明らかである。
　　(i)構成要件Ａの「テレビジョン番組リスト毎にタイトル、チャンネルそして開始時間を含んでいるデータファイル」という記載から、各「テレビジョン番組リスト」が、少なくとも「タイトル、チャンネル、開始時間」という番組情報に対応するものと理解されなければならないこと。
　　(ii)構成要件Ｂの「複数のテレビジョン番組リストを・・・表示する」という記載から、「複数のテレビジョン番組リスト」が、表示される対象であることが理解されなければならないこと（ここで、構成要件Ａとの関連から、その表示される対象である「複数のテレビジョン番組リスト」のそれぞれが、少なくとも「タイトル、チャンネル、開始時間」という番組情報に対応する。）
　　(iii)構成要件Ｄの「表示された複数のテレビジョン番組リストの中の一つを記録するために選択する」という記載から、表示された「複数のテレビジョン番組リスト」の中の一つが、記録のために選択される対象であると理解されなければならないこと
　　(iv)構成要件Ｅの「記録するために選択されたテレビジョン番組リストが示している番組」という記載から、「テレビジョン番組リスト」が番組の記録のために選択される対象であると理解されなければならない。
　　(v)記録のためには、唯一つの番組を特定することが必要とされることは当業者には自明であることから、「テレビジョン番組リスト」は、「個々の番組」を指すものであるとしか解しようがないこと
　
　　また、本件特許明細書の段落0011、0031の「番組リスト」の記載からしても、「テレビジョン番組を特定するための個々の番組単位の番組情報」と解釈されるものである。段落0019、段落0024の「リスト」についての記載によっても、「リスト」が番組表自体ではなく、「個々の番組単位の番組情報」であることは明らかである。
　
　　以上から、「テレビジョン番組リスト」の意味は明確であり、この記載に関連した特許法第３６条第５項２号の不備はなく、同第３６条第４項、同第３６条第５項１号に基づく不備もない。
　
　（２）構成要件Ａ、Ｅの「データファイル」について
　　「データファイル」という用語は、データを含むファイルを意味するものとして当業者には自明であり、「テレビジョン番組リスト」を、上記１）で述べたとおり「テレビジョン番組を特定するための個々の番組単位の番組情報」と正しく解釈すれば、上記構成要件Ａの「データファイルは、・・・含む」という記載についても、当業者であれば特段の説明を要することなく理解できるものである。
　
　（３）構成要件Ａの「複数のテレビジョン番組リストに対応し、テレビジョン番組リスト毎にタイトル、チャンネルそして開始時間を含んでいるデータファイルをメモリに記憶」について
　　構成要件Ａにおいては、「テレビジョン番組リスト毎に」の文言は「含んでいる」に係っているのであり、「記憶する」に係っているわけではない。つまりここでは、「テレビジョン番組リスト」が個々の番組単位の番組情報に対応していることを規定しているだけなのであるから、本件特許明細書の段落００７４、００７７の記載からは、正に、テレビジョン番組リスト毎にタイトル、チャンネルそして開始時間を含んでいるデータファイルをスケジュールメモリ２３２に記憶することが読み取れるというべきである。
　
　（４）構成要件Ｂの「メモリに記憶されている複数のテレビジョン番組リスト」、構成要件Ｄの「表示された複数のテレビジョン番組リストの中の一つを記録するために選択」、構成要件Ｅの「テレビジョン番組リストのデータ」についての記載不備について
　　「テレビジョン番組リスト」は、上記（１）のように「個々の番組単位の番組情報」と解されるのであるから、上記構成要件Ｂ，Ｄ，Ｅのいずれの記載にも請求人の主張する記載不備はない。
　
　（５）構成要件Ｃの「その他の記録装置」、構成要件Ｆの「その他の記録装置を使用して、ビデオ記録媒体にテレビジョン番組を記録」について
　　当業者であれば、「その他の記録装置」がＶＣＲ以外の方式による記録装置を意味することは容易に理解できることから、「その他の記録装置」については何らこれ以上の説明を要しないというべきであり、当業者であれば、ＶＣＲに関する例示的な説明に基づいて「その他の記録装置」、「その他の記録装置を使用して・・・番組を記録する方法」を実施することも可能である。
　
　（６）構成要件Ｅの「記録するする」について
　　「記録するする」が単純な誤記であり、正しくは「記録する」であることは明らである。
　
　（７）番組の記録先が、構成要件Ｅ（「ＶＣＲまたはその他の記録装置」）と構成要件Ｆ（「ビデオ記録媒体」）で異なるとの主張について
　構成要件Ｃの「・・・装填するステップ」の結果として、「ＶＣＲまたはその他の記録装置」は、その中に装填された「ビデオ記録媒体」を含むことになるのであり、構成要件Ｅと構成要件Ｆとの間に何ら齟齬はない。
　
　（８）構成要件Ｅの「テレビジョン番組リストのデータを・・・転送する」について
　　「テレビジョン番組リスト」のデータ（すなわち、タイトル、チャンネル、開始時間に対応するデータ）が記録ＲＡＭメモリ２３６からＶＣＲ２０６に転送されることは、少なくとも、本件特許明細書の段落0077、0080、0036〜0051に記載されている。
　　段落0077には「記録コマンドをＶＣＲ２０６へ転送する」ことが明示されている。この記載から、記録パラメータが記録コマンドに付随してＶＣＲ２０６に転送されることは当業者には自明である。なぜなら、「コマンド」が命令を意味し、「パラメータ」がその命令を補足するものを意味することは当業者には自明であることから、「コマンドが転送される」と言えば、その「コマンド」は必然的に「パラメータ」を伴って転送されると解するのが自明の理だからである。それ故、記録パラメータ（チャンネル、開始時間及び長さ）は、「記録コマンド」（段落0077）または「ＶＣＲコントロールコマンド」（段落0080）に付随してＶＣＲ２０６に転送されるというべきである。
　ＶＣＲ２０６は、「記録せよ」という命令は受け取るものの、どの番組を何時から記録すればいいのかを知ることができないことは不合理である。ＶＣＲ２０６を用いて番組を記録するためには、ＶＣＲ２０６は、どの番組を何時から記録するのかを知らねばならないこともまた自明の理だからである。
　記録パラメータ（チャンネル、開始時間及び長さ）に加えて、番組のタイトルが記録ＲＡＭメモリ２３６からＶＣＲ２０６に転送されるものであることは、(i)番組のタイトルが、記録パラメータ（チャンネル、開始時間及び長さ）とともに記録ＲＡＭメモリ２３６にコピーされること（ＶＣＲ２０６への転送の準備段階として　記録ＲＡＭメモリ２３６にコピーされること）（段落0077）、(ii)番組のタイトルをテープに書き込むことを必要とする実施例が本件特許明細書の段落００３６〜００５１に記載されており、番組のタイトルをテープに書き込むためには、番組のタイトルを一旦ＶＣＲ等の記録装置に転送する必要があることから明らかである。
　番組のタイトルをテープに書き込むことについての具体的記載は、例えば、本件特許明細書の段落0038、0043の記載である。
　
　（口頭審理陳述要領書における主張）
　記録メモリＲＡＭ２３６にコピーされた番組タイトル及びその記録パラメータ（チャンネル、開始時間及び長さ）を転送する実施例は、特許明細書の段落0077に記載されている実施例｛番組タイトル及びその記録パラメータ（チャンネル、開始時間及び長さ）がスケジュールメモリ２３２から記録メモリＲＡＭ２３６にコピーされた後、赤外線リモートドライバ２１４を用いて、ケーブルデコーダ２０２、ＶＣＲ２０６の両方を制御する実施例では、チャンネルコマンドがＶＣＲ２０６ではなくプログラムチューナに転送されている実施例｝に限定されない。
　記録メモリＲＡＭ２３６にコピーされた記録パラメータ（チャンネル、開始時間及び長さ）をＶＣＲ２０６に転送する実施例は本件出願時の技術常識である。そして、ＶＣＲ２０６に内蔵されているチューナを用いて番組を記録する際には、チューナを制御するために必要とされる情報（すなわち、チャンネル、開始時間及び長さ）がＶＣＲ２０６に転送されなければならず、赤外線リモートドライバ２１４を経由する経路の代わりに、バス２７０が用いられることが、本件特許明細書の段落００８０に記載されているのである。
　　以上の理由から、本件特許発明の構成要件Ｅは、発明の詳細な説明に当業者が容易に実施できる程度に記載されている。
　
　〈本件発明２６について〉（答弁書の１９頁２７行〜２２頁２６行）
　
　（１）無効理由１のうち、本件発明２６についての請求人の主張(1)〜(5)、(8)、(9)、(11）の内容は、それぞれ、本件特許発明１６についての請求人がした主張(1)〜(5)、(8)、(11)、(12)と同じものであるから、本件特許発明１６について請求人がした主張(1)〜(5)、(8)、(11)、(12)が理由がないとした理由と少なくとも同一の理由から、本件特許発明２６についての請求人の主張(1)〜(5)、(8)、(9)、(11）もまた理由がない。
　
　（２）構成要件ｃの「記録位置」について
　　請求項２６に従属する請求項２７に規定される「
ビデオ記録媒体の記録位置
番組の記録の開始時に
テレビジョン番組が
　
　（３）構成要件ｃの「番組ディレクトリ」について
　　「番組ディレクトリ」がどのような手段で作成されるのかは本件特許発明２６の主題とは無関係であるから、本件特許発明２６が、「番組ディレクトリを作成する手段」を構成要件として含んでいないからといって、本件特許発明２６の請求項には特許を受けようとする発明の構成に欠くことができない事項のみが記載されていないとか、当業者が容易に実施できる程度にその構成等が発明の詳細な説明に記載されていないとかいうことにはならない。
　
　（４）構成要件ｅの「記録スタック」について
「記録スタック」は、ビデオ記録媒体の記録領域ではなく、ＶＣＲまたはその他の記録装置が具備するメモリの記録領域であると解釈されるべきであり、その他の解釈の余地はない。
　
　（５）構成要件ｅの「ＶＣＲまたは・・・を記録する手段」について
　構成要件ｅは、「前記の記録するために選択された・・・」は、「前記の記録するために、選択された・・・」と解釈すべきであり、この解釈によれば、請求人が主張する意味不明な記載とはならない。
　
　（６）構成要件ｆに関連して、どのようにして「タイトルがディレクトリに加えられる」のか不明であるとの主張について
　タイトルがディレクトリに加えられる特定の態様は、本件特許発明２６の主題に無関係であるから、どのようにしてタイトルがディレクトリに加えられるかを本件特許発明２６において規定する必要がないからである。さらに、「タイトルがディレクトリに加えられる」ことは、少なくとも、本件特許明細書の段落００８０の「この開始アドレスは、番組タイトルと共にテープディレクトリＲＡＭメモリ２３４へ記憶される」という記載によって裏付けられている。
　（７）請求人は、構成要件ｆの「インデックスを付ける」とはどのようなことを指しているのか不明であると主張する
　　「ビデオ記録媒体にインデックスを付ける」とは、「記録されたテレビジョン番組を後で検索することを目的として、テレビジョン番組がビデオ記録媒体に記録されている記録位置に目印を付ける」ことを意味することは明らかだからである。このことは、少なくとも、本件特許明細書の段落００３８の記載によっても裏付けられている。
　
［２.２］無効理由２-１（新規性・進歩性欠如）に対して
　　　　（答弁書の２２頁２８行〜２８頁１６行）
　
　〈本件発明１６について〉
　《新規性欠如に対して》
　本件特許発明１６は、甲第１号証に記載された発明ではない。
　本件特許発明１６と甲１号証発明には、請求人が看過する以下の相違点が存在する。
　すなわち、本件特許発明１６は、選択された番組をＶＣＲまたはその他の記録装置に記録するために「タイトル、チャンネル、開始時間に対応するデータ」をＶＣＲまたはその他の記録装置に転送することを必要とするのに対して、甲１号証には、選択された番組を記録するために、
タイトルに対応するデータ
　さらに、甲第１号証には、ＶＣＲまたはその他の記録装置の外部にある装置からＶＣＲまたはその他の記録装置にデータを転送することに関する記載が一切存在しない。
　これら点で本件特許発明１６は甲１発明と相違する。
　
　《進歩性欠如に対して》
　本件特許発明１６は、甲１号証および甲２号証に記載された発明に基づいて当業者が容易に発明をすることができたものではない。
　その理由は以下の通り。
　本件発明１６は、上記の点で、甲１号証と相違する。
　(1)甲２号証には、番組名のＶＣＲへの転送については何ら記載されていないし、ましてや、ディスプレイモニターに表示された複数のテレビジョン番組リストの中の一つを選択したことを契機に番組名等の情報の転送を行うことも何ら教示も示唆もしていない。甲２号証が開示しているのは、単に番組のコンテンツ（ＴＶ信号）を録画するのと同時に付加信号を記憶、記録することにすぎず、番組を記録するためにテレビ番組表の中から番組情報（例えば、タイトル、チャンネル、開始時間）を選択し、転送することを何ら開示していない。よって、甲２号証の教示を甲１号証の教示にどのように組み合わせたとしても、本件特許発明１６の構成要件Ｅの「記録するために選択されたテレビジョン番組リストが示している番組をＶＣＲまたはその他の記録装置に記録するために前記の記録するために選択されたテレビジョン番組リストのデータを前記のデータファイルからＶＣＲまたはその他の記録装置に転送する」点は当業者が容易になしうるものではない。
　(2)さらに、甲１号証と同様に、甲２号証には、ＶＣＲまたはその他の記録装置の外部にある装置からＶＣＲまたはその他の記録装置にデータを転送することに関する教示または示唆が一切存在しない。
　
　〈本件発明２６について〉
　《新規性欠如に対して》
　本件特許発明２６と甲１号証発明には、請求人が認定する相違点１，２以外の以下の相違点が存在する。
　すなわち、本件特許発明２６は、選択された番組をＶＣＲまたはその他の記録装置に記録するために「タイトル、チャンネル、開始時間に対応するデータ」をＶＣＲまたはその他の記録装置の記録スタックに転送することを必要とするのに対して、
　甲１号証には、選択された番組を記録するために、
タイトルに対応するデータ
　よって、本件特許発明２６は、甲第１号証に記載された発明ではない。
　
　《進歩性欠如に対して》
　本件特許発明２６は、甲１号証および甲２号証に記載された発明に基づいて当業者が容易に発明をすることができたものではない。
　本件発明２６は、上記の点で、甲１号証と相違する。　
　甲２号証が開示しているのは、単に番組のコンテンツ（ＴＶ信号）を録画するのと同時に付加信号を記憶、記録することにすぎず、番組を記録するためにテレビ番組表の中から番組情報（例えば、タイトル、チャンネル、開始時間）を選択し、転送することを何ら開示していない。
　甲２号証には、番組名のＶＣＲへの転送については何ら記載されていないし、ましてや、ディスプレイモニターに表示された複数のテレビジョン番組リストの中の一つを選択したことを契機に番組名等の情報の転送を行うことも何ら教示も示唆もしていない
　よって、甲第２号証の教示を甲第１号証の教示にどのように組み合わせたとしても、本件特許発明２６の構成要件ｅは当業者が容易になしうるものではない。
　
［２.３］無効理由２-２（分割不適法、出願日不遡及を前提とする進歩性欠如、特許法第２９条第２項）に対して（答弁書の２８頁１８行〜２９頁５行）　
　本件特許発明１６の構成要件Ａおよび本件特許発明２６の構成要件ａは、原出願の出願当初の明細書の記載によって裏付けられているから、分割は適法である。分割は適法であるから、本件出願の出願日は原出願の出願日に遡及する。本件発明１６も本件発明２６も、出願日不遡及を前提に甲第４号証（原出願の公表公報）を基礎とする特許法第２９条第２項の規定に基づく無効理由は存在しない。
　本件特許明細書の段落００１０〜００８４は、原出願の出願当初の明細書と参照番号の修正などの形式的な修正を除いて同一であるところ、本件特許発明１６の構成要件Ａおよび本件特許発明２６の構成要件ａは、少なくとも、本件特許明細書の段落００１０〜００８４の記載によって裏付けられている。
　「データファイル」という用語は、データを含むファイルを意味するものとして当業者には自明であるから、「データファイル」という用語が原出願の当初明細書に記載されていないからといって構成要件Ａ，構成要件ａがその範囲を超えているとはいえない。
　本件特許明細書の段落００７４、００７７の記載から、正に、テレビジョン番組リスト毎にタイトル、チャンネルそして開始時間を含んでいるデータファイルをスケジュールメモリ２３２に記憶することが読み取れる。
　
［２.４］無効理由３（自然法則を利用せず。特許法第２９条第１項柱書）に対して（答弁書の２９頁７行〜３１頁２行）
　
　本件特許発明１６も本件発明２６も、自然法則を利用しているから、特許法上の「発明」に該当し、特許法第２９条第１項柱書の規定に基づく無効理由は存在しない。
　仮に、本件特許発明１６、２６の一部に人間の精神的活動に当たる内容があったとしても（被請求人がそのことを自認するわけではないが）、本件特許発明１６、２６は、
全体として、
（　本件発明１６の「ビデオ記録媒体にテレビジョン番組を記録する方法」は、人間の精神的活動によって実現することは不可能であり、
　「・・・データファイルをメモリに記憶するステップ」、「・・・複数のテレビジョン番組リストをディスプレイモニターに表示するステップ」、「・・・データを・・・ＶＣＲその他の記録装置に転送するステップ」等、自然法則を利用しなければ実現することのできない構成を有していて、自然法則を利用している。本件特許発明１６は、
全体として、
　本件特許発明２６の「ビデオ記録媒体にテレビジョン番組を記録し、インデックスを付けるシステム」を人間の精神的活動によって実現することは不可能であり、
　「・・・データファイルが記憶される電子メモリ」、「・・・複数のテレビジョン番組リストを表示するディスプレイモニター」、「・・・データを・・・ＶＣＲまたはその他の記録装置の記録スタックに転送し、・・・番組を記録する手段」等、自然法則を利用しなければ実現することのできない構成を有していて、自然法則を利用している。本件特許発明１６は、
全体として、
　
【第４】本件訂正請求（平成２１年１２月２８日訂正請求）について（当審の判断）
　
［１］訂正内容
　被請求人が求める訂正請求は、特許法第１３４条の３第５項の規定により、上記訂正審判の審判請求書に添付された訂正明細書（「訂正明細書２」）を援用するものであって、この訂正前の願書に添付した明細書、すなわち、上記「訂正１」後の明細書を、「訂正明細書２」のとおり訂正することを求めるものであり、
　上記【第２】［２］に記載したとおりの特許請求の範囲の請求項１〜２９（訂正１後）を、上記【第２】［３］に記載したとおりの特許請求の範囲の請求項１及び２とするものである。
　
　その訂正の内容は、
　（１）訂正前の請求項１〜５，７，９〜２９を削除する
　（２）上記削除に伴い、請求項番号を１から順の番号に整合するため、
　　　　請求項６（訂正前）を請求項１（訂正後）に、
　　　　請求項８（訂正前）を請求項２（訂正後）に、
　　　　それぞれ繰り上げる
　ものである。
　
［２］訂正の適否判断
　上記内容の訂正は、特許請求の範囲の減縮を目的とするものに該当する。
　また、上記訂正は、願書に添付した明細書又は図面に記載されている事項の範囲内のものであり、実質上特許請求の範囲を拡張し、又は変更するものではない。
　よって、本件訂正（訂正２）は、平成６年改正前特許法第１３４条第２項ただし書に適合し、特許法１３４条の２第５項において準用する平成６年改正前第１２６条第２項の規定に適合する。
　
　なお、本件訂正後の請求項１及び２（設定登録時及び訂正１後の請求項６及び８）に係る特許は、無効が請求されていないが、同請求項１及び２に記載される事項により特定される発明は、いずれも「減縮されていない発明」であるから、平成６年改正前特許法第１２６条第３項の規定（独立特許要件）については判断を要しない（平成１９年（行ケ）第１０２８３号審決取消請求事件　平成２０年１０月２９日判決言渡参照）。
　
［３］むすび（本件訂正請求、訂正の採否）
　以上のとおりであるから、本件訂正を認める。
　
【第５】本件無効審判の請求について（当審の判断）
　
　特許無効審判の請求人は，特許第３６００１４９号に係る設定登録時の請求項１６及び請求項２６に記載された発明についての特許を無効とすることを求めているところ，平成２１年１２月２８日付け訂正請求書による訂正が適法な訂正と認められ，設定登録時の請求項１６及び請求項２６（訂正１後の請求項１６及び２４）は削除されたことから，特許無効審判の請求の対象が存在しないものとなった。  
 　  
　したがって，本件特許無効審判の請求は，不適法な審判の請求であって，その補正をすることができないものであるから，特許法第１３５条の規定によって却下すべきものである。  
 　  
　そして，審判に関する費用については，特許法第１６９条第２項の規定で準用する民事訴訟法第６１条及び第６２条の規定により被請求人が負担すべきものとする。  
 　  
　よって，結論のとおり審決する。